(57)【特許請求の範囲】
【請求項１】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測された筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の前記内面が内周を画定し、当該内周が、フィルタカートリッジのパルスクリーニングを向上させるとともに、向上した粒子負荷を提供するように構成された形状を有しており、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二等分せず、
前記断面の前記内周内に配置される内接円が、前記内接円の直径の０．２５以下である前記円と前記内周との間の最大半径方向間隙を画定し、当該最大半径方向間隙は、前記内接円の中心を通って延びる半径方向の線に沿って計測され、
前記断面が、前記最大高さの軸に沿って前記底点から前記底部軸交点まで計測される底部断面高さを備え、前記底部断面高さが、前記最大高さの軸に沿って前記頂点から前記底点まで計測される前記最大高さに対して０より大きく０．４以下であり、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の前記内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項２】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測された筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の前記内面が内周を画定し、当該内周が、フィルタカートリッジのパルスクリーニングを向上させるとともに、向上した粒子負荷を提供するように構成された形状を有しており、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二等分せず、
前記断面の前記内周内に配置される内接円が、前記内接円の直径の０．２５以下である前記円と前記内周との間の最大半径方向間隙を画定し、当該最大半径方向間隙は、前記内接円の中心を通って延びる半径方向の線に沿って計測され、
前記内接円が、前記内周によって画定される内面積の、全体より小さく６０％以上を占め、
前記断面が、前記最大高さの軸に沿って前記底点から前記底部軸交点まで計測される底部断面高さを備え、前記底部断面高さが、前記最大高さの軸に沿って前記頂点から前記底点まで計測される前記最大高さに対して０より大きく０．４以下であり、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の前記内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項３】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測される筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の内面が内周を画定し、当該内周が、フィルタカートリッジのパルスクリーニングを向上させるとともに、向上した粒子負荷を提供するように構成された卵形の形状を有しており、
前記断面の内周の前記卵形状が非対称であり、
前記断面の前記内周内に配置される内接円が、エアフィルタのパルスクリーニングを高めるように、前記内接円の直径の０．２５以下である前記円と前記内周との間の最大半径方向間隙を画定し、当該最大半径方向間隙は、前記内接円の中心を通って延びる半径方向の線に沿って計測され、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二等分せず、
前記断面が、前記最大高さの軸に沿って前記底点から前記底部軸交点まで計測される底部断面高さを備え、当該底部断面高さが０より大きく、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項４】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測される筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の内面が内周を画定し、当該内周が、フィルタカートリッジのパルスクリーニングを向上させるとともに、向上した粒子負荷を提供するように構成された卵形の形状を有しており、
前記断面の内周の前記卵形状が非対称であり、
前記断面の前記内周内に配置される内接円が、エアフィルタのパルスクリーニングを高めるように、前記内接円の直径の０．２５以下である前記円と前記内周との間の最大半径方向間隙を画定し、当該最大半径方向間隙は、前記内接円の中心を通って延びる半径方向の線に沿って計測され、
前記内接円が、前記内周によって画定される内面積の、全体より小さく６０％以上を占め、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二等分せず、
前記断面が、前記最大高さの軸に沿って前記底点から前記底部軸交点まで計測される底部断面高さを備え、当該底部断面高さが０より大きく、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項５】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測された筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の前記内面が内周を画定し、当該内周が、フィルタカートリッジのパルスクリーニングを向上させるとともに、向上した粒子負荷を提供するように構成された形状を有しており、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記断面が、前記最大高さの軸に沿って前記底点から前記底部軸交点まで計測される底部断面高さを備え、当該底部断面高さが０より大きく、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっており、
前記断面の前記内周内に配置される内接円が、エアフィルタのパルスクリーニングを高めるように、前記内接円の直径の０．２５以下である前記円と前記内周との間の最大半径方向間隙を画定し、当該最大半径方向間隙は、前記内接円の中心を通って延びる半径方向の線に沿って計測される
ことを特徴とするフィルタカートリッジ。
【発明の詳細な説明】
【技術分野】
【０００１】
関連出願の相互参照
本願は、２０１３年３月１５日に出願された、発明の名称が「ＯＶＡＴＥ  ＴＵＢＵＬＡＲ  ＦＩＬＴＥＲ  ＣＡＲＴＲＩＤＧＥＳ  ＡＮＤ  ＦＩＬＴＥＲ  ＳＹＳＴＥＭＳ  ＵＳＩＮＧ  ＴＨＥ  ＳＡＭＥ」である米国仮特許出願第６１／７８９，３８５号明細書の米国特許法第１１９条の下での利点を請求し、それは参照によって本明細書に完全に組み込まれる。
【０００２】
卵形断面を有する筒状濾材を含むフィルタカートリッジ、および、卵形筒状フィルタカートリッジを使用するフィルタシステムが、本明細書に記載される。
【背景技術】
【０００３】
空気またはその他のガス流体中の粒子状物質は、多くの異なる業界で禁止されており、多くの場合、粒子状物質をガス流体から取り除く必要がある。粒子状物質を含むガス流体をきれいにするためのシステムは、ハウジングに配置されるフィルタエレメントを有するエアフィルタシステムを含む。フィルタエレメントは、好適な織物またはひだ状紙の袋または靴下の形態でもよい。粒子で汚染されたガス流体は、一般的にハウジングを通過し、その結果、粒子はフィルタエレメントによって捕らえられて、保持される。いくつかのシステムにおいて、クリーニングは、加圧空気の短い噴流をフィルタエレメントの内部に周期的に送ってフィルタエレメントを通る空気流を逆流させ、収集された汚染物質を収集することで完了する。たとえば、このようなエアフィルタシステムの実施例は、米国特許第４，２１８，２２７号明細書（Ｆｒｅｙ）および米国特許第４，３９５，２６９号明細書（Ｓｃｈｕｌｅｒ）で開示されている。
【０００４】
一般的な設計において、エアフィルタシステムは、清浄空気室と汚染空気室とを有する。２つの室は、一般に管板と呼ばれる薄板金で区切られる。管板は、フィルタエレメントが配置される多数の開口部を有する。粒子を含む空気は、汚染空気室に送られ、空気が管板の開口部を通って汚染空気室から清浄空気室に移動するとき、粒子はフィルタエレメント上に収集される。清浄空気室から、清浄空気が周囲に排気される、または、その他の用途のために再循環される。たとえば、米国特許第４，４２４，０７０号明細書（Ｒｏｂｉｎｓｏｎ）、米国特許第４，４３６，５３６号明細書（Ｒｏｂｉｎｓｏｎ）、米国特許第４，４４３，２３７号明細書（Ｕｌｖｅｓｔａｄ）、米国特許第４，４４５，９１５号明細書（Ｒｏｂｉｎｓｏｎ）、米国特許第５，２０７，８１２号明細書（Ｔｒｏｎｔｏら）、米国特許第４，９５４，２５５号明細書（Ｍｕｌｌｅｒら）、米国特許第５，２２２，４８８号明細書（Ｆｏｒｓｇｒｅｎ）、５，２１１，８４６（Ｋｏｔｔら）、米国特許第５，７３０，７６６号明細書（Ｃｌｅｍｅｎｔｓ）、米国特許第４，６６１，１３１号明細書（Ｈｏｗｅｔｈ）、米国特許第６，４８８，７４６号明細書（Ｋｏｓｍｉｄｅｒら）、および米国特許第８，１２８，７２４号明細書（Ｍｉｌｌｓら）は、さまざまなフィルタエレメントの設計の実施例を開示している。
【発明の概要】
【０００５】
卵形断面を有する筒状濾材を含むフィルタカートリッジ、および、卵形筒状フィルタカートリッジを使用するフィルタシステムが、本明細書に記載される。
【０００６】
本明細書に記載される卵形断面に成形される濾材を有するフィルタカートリッジは、フィルタカートリッジが少なくとも１つの方向を向いているとき、より多くの濾材が上方よりも下方を向くため、１つまたは複数の実施形態において、改善された粒子負荷能力を発揮することができる。下向きの濾材は、またはより多くの実施形態において、使用中、上向きの濾材より粒子負荷による影響が少ない。フィルタカートリッジの改善された粒子負荷能力により、たとえば、必要なパルスの減少、パルスあたりに必要なパルスエネルギーの減少という点において、パルスクリーニング要件の減少による利点がもたらされる。
【０００７】
形状が卵形であると記載されているが、本明細書に記載されるフィルタカートリッジの筒状濾材の断面は、１つまたは複数の実施形態において、１つまたは複数の平坦な縁辺を有してもよく、すなわち卵形の断面は、曲線のみを含む本当の卵形でなくてもよい。むしろ、筒状フィルタカートリッジの１つまたは複数の実施形態の断面形状の一部のみが、本当の卵形の形態でもよい。
【０００８】
１つまたは複数の実施形態において、本明細書に記載されるフィルタカートリッジの卵形断面の内周は非対称でもよく、すなわち、ここで非対称とは、フィルタカートリッジにおける筒状濾材の断面の内周が対称となる線がないことを意味する。１つまたは複数の代替の実施形態において、フィルタカートリッジにおける筒状濾材の卵形断面の内周は、１つの対称中心線のみ有してもよい。その単一の対称中心線は、１つまたは複数の実施形態において、筒状濾材の上部および底部を通って伸長するように記載されてもよい。
【０００９】
本明細書に論じられるように、内接円が、本明細書に記載されるフィルタカートリッジにおける筒状濾材の断面の内周を特徴づけることができる別の方法を提供してもよい。内接円と本明細書に記載されるフィルタカートリッジの内周との間の最大半径方向間隙を限定することにより、１つまたは複数の実施形態において、（たとえば、パルスあたりに必要なパルスエネルギーの減少を含む改善を有する）このような特性を有するフィルタカートリッジのパルスクリーニングにおける改善を提供することができる。
【００１０】
第１の態様において、本明細書に記載されるフィルタカートリッジの１つまたは複数の実施形態は、フィルタカートリッジの内部空間に面する内面と内部空間から見て外方を向く外面とを定義する筒状濾材であって、筒状濾材の第１の端部から第２の端部まで伸長する管軸に沿って計測される筒状濾材長さを定義する筒状濾材と、筒状濾材の第１の端部の第１のエンドキャップと筒状濾材の第２の端部の第２のエンドキャップとを備えるフィルタカートリッジハウジングとを含み、筒状濾材長さの大部分に沿った任意の位置で管軸を横断する断面において、筒状濾材の内面が内周を定義し、断面が、頂点と底点との間で計測される最大高さ（Ｈｍａｘ）を備え、頂点および底点が、頂点および底点が断面を横切って伸長する任意の直線に沿って互いに最も離れた内周上の点であるような位置および方向で、内周上および断面を横切って伸長する最大高さの軸上に配置され、断面が、内周上および最大幅の軸上に配置される第１の点と第２の点との間で計測される最大幅（Ｗｍａｘ）を備え、最大幅の軸が、最大高さの軸に直交する直線に沿って配置され、最大幅の軸が、第１の点および第２の点が最大高さの軸に直交する任意の直線上で互いから最も離れる底部軸交点で、最大高さの軸と交差し、頂点と底点との間で計測されるとき、底部軸交点が断面の最大高さを二等分しない。
【００１１】
本明細書に記載されるフィルタカートリッジの１つまたは複数の実施形態において、断面は、最大高さの軸に沿って底点から底部軸交点まで計測される底部断面高さを備え、底部断面高さは、最大高さの軸に沿って頂点から底点まで計測される最大高さの０．４以下である。１つまたは複数の実施形態において、底部断面高さは、０より大きい。１つまたは複数の実施形態において、底部断面高さは、最大高さの０．１以上である。
【００１２】
本明細書に記載されるフィルタカートリッジの１つまたは複数の実施形態において、断面の内周は、底点を含有する底部周辺部を備え、底部周辺部は、内周に沿って第１の点から第２の点まで計測される底部周辺部長さを備え、断面の内周は、頂点を含有する上部周辺部を備え、上部周辺部は、第１の端部から第２の端部まで延在し、第１の端部は、第１の点と頂点との間の内周に配置され、第２の端部は、第２の点と頂点との間の内周に配置され、上部周辺部の第１の端部および第２の端部は、上部周辺部線が内周と交差する点であり、上部周辺部は、内周に沿って第１の端部から第２の端部まで計測される上部周辺部長さを備え、上部周辺部線は、最大高さの軸に直交し、上部軸交点で最大高さの軸と交差する直線であり、断面は、最大高さの軸に沿って上部軸交点から内周上の頂点まで計測される上部断面高さを備え、上部断面高さは、底部断面高さと等しく、底部周辺部長さは、上部周辺部長さより大きい。１つまたは複数の実施形態において、底部周辺部長さは、上部周辺部長さの１．２倍以上である。１つまたは複数の実施形態において、底部周辺部長さは、上部周辺部長さの２倍以上である。
【００１３】
本明細書に記載されるフィルタカートリッジの１つまたは複数の実施形態において、断面の内周は、底点を含有し、第１の点から第２の点まで延在する底部周辺部を備え、底部周辺部全体は、第１の点から第２の点まで連続的に湾曲している。
【００１４】
本明細書に記載されるフィルタカートリッジの１つまたは複数の実施形態において、第１の点と第２の点との間の内周の区間が、１センチメートルを超える距離の直線であることはない。
【００１５】
本明細書に記載されるフィルタカートリッジの１つまたは複数の実施形態において、最大高さの軸は、断面の内周の対称中心線上にない。
【００１６】
本明細書に記載されるフィルタカートリッジの１つまたは複数の実施形態において、断面の内周は、１つの対称中心線のみ定義する。
【００１７】
本明細書に記載されるフィルタカートリッジの１つまたは複数の実施形態において、断面の内周は、１つの対称中心線のみ定義し、最大高さの軸は、対称中心線と一致する。
【００１８】
本明細書に記載されるフィルタカートリッジの１つまたは複数の実施形態において、断面の内周は、非対称である。
【００１９】
第２の態様において、本明細書に記載されるフィルタカートリッジの１つまたは複数の実施形態は、フィルタカートリッジの内部空間に面する内面と内部空間から見て外方を向く外面とを定義する筒状濾材であって、筒状濾材の第１の端部から第２の端部まで伸長する管軸に沿って計測される筒状濾材長さを定義する筒状濾材と、筒状濾材の第１の端部の第１のエンドキャップと筒状濾材の第２の端部の第２のエンドキャップとを備えるフィルタカートリッジハウジングとを含んでもよく、筒状濾材長さの大部分に沿った任意の位置で管軸を横断する断面において、筒状濾材の内面が卵形状を有する内周を定義し、断面の内周の卵形状は、非対称である。
【００２０】
本明細書に記載されるフィルタカートリッジの１つまたは複数の実施形態において、断面が、頂点と底点との間で計測される最大高さ（Ｈｍａｘ）を備え、頂点および底点が、頂点および底点が断面を横切って伸長する任意の直線に沿って互いに最も離れた内周上の点であるような位置および方向で、内周上および断面を横切って伸長する最大高さの軸上に配置され、断面が、内周上および最大幅の軸上に配置される第１の点と第２の点との間で計測される最大幅（Ｗｍａｘ）を備え、最大幅の軸が、最大高さの軸に直交する直線に沿って配置され、最大幅の軸が、第１の点および第２の点が最大高さの軸に直交する任意の直線上で互いから最も離れる底部軸交点で、最大高さの軸と交差し、頂点と底点との間で計測されるとき、底部軸交点が断面の最大高さを二等分しない。
【００２１】
本明細書に記載されるフィルタカートリッジの１つまたは複数の実施形態において、断面は、最大高さの軸に沿って底点から底部軸交点まで計測される底部断面高さを備え、底部断面高さは、最大高さの軸に沿って頂点から底点まで計測される最大高さの０．４以下である。１つまたは複数の実施形態において、底部断面高さは、０より大きい。１つまたは複数の実施形態において、底部断面高さは、最大高さの０．１以上である。
【００２２】
本明細書に記載されるフィルタカートリッジの１つまたは複数の実施形態において、断面の内周は、底点を含有する底部周辺部を備え、底部周辺部は、内周に沿って第１の点から第２の点まで計測される底部周辺部長さを備え、断面の内周は、頂点を含有する上部周辺部を備え、上部周辺部は、第１の端部から第２の端部まで延在し、第１の端部は、第１の点と頂点との間の内周に配置され、第２の端部は、第２の点と頂点との間の内周に配置され、上部周辺部の第１の端部および第２の端部は、上部周辺部線が内周と交差する点であり、上部周辺部は、内周に沿って第１の端部から第２の端部まで計測される上部周辺部長さを備え、上部周辺部線は、最大高さの軸に直交し、上部軸交点で最大高さの軸と交差する直線であり、断面は、最大高さの軸に沿って上部軸交点から内周上の頂点まで計測される上部断面高さを備え、上部断面高さは、底部断面高さと等しく、底部周辺部長さは、上部周辺部長さより大きい。１つまたは複数の実施形態において、底部周辺部長さは、上部周辺部長さの１．２倍以上である。１つまたは複数の実施形態において、底部周辺部長さは、上部周辺部長さの２倍以上である。
【００２３】
本明細書に記載されるフィルタカートリッジの１つまたは複数の実施形態において、断面の内周は、底点を含有し、第１の点から第２の点まで延在する底部周辺部を備え、底部周辺部全体は、第１の点から第２の点まで連続的に湾曲している。
【００２４】
本明細書に記載されるフィルタカートリッジの１つまたは複数の実施形態において、第１の点と第２の点との間の内周の区間が、１センチメートルを超える距離の直線であることはない。
【００２５】
第３の態様において、本明細書に記載されるフィルタカートリッジの１つまたは複数の実施形態は、フィルタカートリッジの内部空間に面する内面と内部空間から見て外方を向く外面とを定義する筒状濾材であって、筒状濾材の第１の端部から第２の端部まで伸長する管軸に沿って計測される筒状濾材長さを定義する筒状濾材と、筒状濾材の第１の端部の第１のエンドキャップと筒状濾材の第２の端部の第２のエンドキャップとを備えるフィルタカートリッジハウジングとを含んでもよく、筒状濾材長さの大部分に沿った任意の位置で管軸を横断する断面において、筒状濾材の内面が内周を定義し、断面が、頂点と底点との間で計測される最大高さ（Ｈｍａｘ）を備え、頂点および底点が、頂点および底点が断面を横切って伸長する任意の直線に沿って互いに最も離れた内周上の点であるような位置および方向で、内周上および断面を横切って伸長する最大高さの軸上に配置され、断面が、内周上および最大幅の軸上に配置される第１の点と第２の点との間で計測される最大幅（Ｗｍａｘ）を備え、最大幅の軸が、最大高さの軸に直交する直線に沿って配置され、最大幅の軸が、第１の点および第２の点が最大高さの軸に直交する任意の直線上で互いから最も離れる底部軸交点で、最大高さの軸と交差し、断面は、最大高さの軸に沿って底点から底部軸交点まで計測される底部断面高さを備え、断面の内周は、底点を含有する底部周辺部を備え、底部周辺部は、内周に沿って第１の点から第２の点まで計測される底部周辺部長さを備え、断面の内周は、頂点を含有する上部周辺部を備え、上部周辺部は、第１の端部から第２の端部まで延在し、第１の端部は、第１の点と頂点との間の内周に配置され、第２の端部は、第２の点と頂点との間の内周に配置され、上部周辺部の第１の端部および第２の端部は、上部周辺部線が内周と交差する点であり、上部周辺部は、内周に沿って第１の端部から第２の端部まで計測される上部周辺部長さを備え、上部周辺部線は、最大高さの軸に直交し、上部軸交点で最大高さの軸と交差する直線であり、断面は、最大高さの軸に沿って上部軸交点から内周上の頂点まで計測される上部断面高さを備え、上部断面高さは、底部断面高さと等しく、底部周辺部長さは、上部周辺部長さより大きい。
【００２６】
本明細書に記載されるフィルタカートリッジの１つまたは複数の実施形態において、底部周辺部長さは、上部周辺部長さの１．２倍以上である。
【００２７】
本明細書に記載されるフィルタカートリッジの１つまたは複数の実施形態において、底部周辺部長さは、上部周辺部長さの２倍以上である。
【００２８】
本明細書に記載されるフィルタカートリッジの１つまたは複数の実施形態において、底部断面高さは、０より大きい。
【００２９】
本明細書に記載されるフィルタカートリッジの１つまたは複数の実施形態において、底部断面高さは、最大高さの０．１以上である。
【００３０】
本明細書に記載されるフィルタカートリッジの１つまたは複数の実施形態において、底部断面高さは、最大高さの軸に沿って頂点から底点まで計測される最大高さの０．４以下である。
【００３１】
本明細書に記載されるフィルタカートリッジの１つまたは複数の実施形態において、断面の内周は、底点を含有して、第１の点から第２の点まで延在する底部周辺部を備え、底部周辺部全体は、第１の点から第２の点まで連続的に湾曲している。
【００３２】
本明細書に記載されるフィルタカートリッジの１つまたは複数の実施形態において、第１の点と第２の点との間の内周の区間は、１センチメートル以下の距離の直線上にある。
【００３３】
本明細書に記載されるフィルタカートリッジの１つまたは複数の実施形態において、最大高さの軸は、断面の内周の対称中心線上にない。
【００３４】
本明細書に記載されるフィルタカートリッジの１つまたは複数の実施形態において、断面の内周は、１つの対称中心線のみ定義する。
【００３５】
本明細書に記載されるフィルタカートリッジの１つまたは複数の実施形態において、断面の内周は、１つの対称中心線のみ定義する。最大高さの軸は、対称中心線と一致する。
【００３６】
本明細書に記載されるフィルタカートリッジの１つまたは複数の実施形態において、断面の内周は、非対称である。
【００３７】
本明細書に記載されるフィルタカートリッジの１つまたは複数の実施形態において、断面の内周内に配置される内接円は、内周によって定義される内面積の全体より小さく、６０％以上を占める。１つまたは複数の実施形態において、断面の内周内に配置される内接円は、内周によって定義される内面積の７０％以上を占める。１つまたは複数の実施形態において、断面の内周内に配置される内接円は、内周によって定義される内面積の８０％以上を占める。
【００３８】
本明細書に記載されるフィルタカートリッジの１つまたは複数の実施形態において、断面の内周内に配置される内接円は、内接円の直径の０．５以下である、円と内周との間の最大半径方向間隙を定義し、最大半径方向間隙は、内接円の中心を通って伸長する半径方向の線に沿って計測される。１つまたは複数の実施形態において、最大半径方向間隙は、内接円の直径の０．２５以下である。
【００３９】
本明細書に記載されるフィルタカートリッジの１つまたは複数の実施形態において、第１のエンドキャップは、エンドキャップ内周を備え、内部空間に面する切欠き開口部を備える切欠きを備える位置合わせ機構、切欠きは、切欠き開口部からエンドキャップ内周の方へ延在する。１つまたは複数の実施形態において、位置合わせ機構は、２つ以上の切欠きを備え、２つ以上の切欠きの各切欠きは、内部空間に面する切欠き開口部を備え、２つ以上の切欠きの各切欠きは、切欠き開口部からエンドキャップ内周の方へ延在する。１つまたは複数の実施形態において、第２のエンドキャップは、１つまたは複数の切欠きを備える位置合わせ機構を備え、第２のエンドキャップの２つ以上の切欠きの各切欠きは、内部空間に面する切欠き開口部を備え、第２のエンドキャップの１つまたは複数の切欠きの各切欠きは、切欠き開口部からエンドキャップ内周の方へ延在する。
【００４０】
本明細書に記載されるフィルタカートリッジの１つまたは複数の実施形態において、断面は、筒状濾材長さの１０％以上、任意選択的には２５％以上、または、任意選択的には５０％以上沿った任意の位置で管軸を横断する。
【００４１】
本明細書に記載されるフィルタカートリッジの１つまたは複数の実施形態において、筒状濾材は、内面と外面との間で延在するひだを備える。
【００４２】
本明細書および添付の特許請求の範囲で使用されるとき、単数形「１つの（ａ）」、「１つの（ａｎ）」、および「その（ｔｈｅ）」は、文脈で明らかにそうでないことが示されていない限り、複数の場合も含めて意味する。したがって、たとえば、「１つの（ａ）」または「その（ｔｈｅ）」構成部品への言及は、１つまたは複数の構成部品、および、当業者に公知のその等価物を含んでもよい。さらに、用語「および／または」は、記載されたエレメントの１つまたはすべて、あるいは、任意の２つ以上の記載されたエレメントの組合せを意味する。
【００４３】
用語「備える」およびその変形は、これらの用語が添付の説明で出現するところで限定する意味を有しないことに留意されたい。さらに、「１つの（ａ）」、「１つの（ａｎ）」、「その（ｔｈｅ）」、「少なくとも１つの（ａｔ  ｌｅａｓｔ  ｏｎｅ）」、および「１つまたは複数の（ｏｎｅ  ｏｒ  ｍｏｒｅ）」は、本明細書で交換可能に使用される。
【００４４】
上記の概要は、本明細書に記載されるフィルタカートリッジを使用する、フィルタカートリッジまたはフィルタシステムの各実施形態またはあらゆる実施例を記載することを意図しない。むしろ、本発明は、図面の添付図を考慮して、例示的な実施形態および特許請求の範囲の以下の説明を参照することにより、より完璧に理解されるようになる。
【図面の簡単な説明】
【００４５】
【図１】図１は、本明細書に記載されるフィルタカートリッジの１つの例示的な実施形態の斜視図である。
【図２】図２は、図１のフィルタカートリッジの濾材の斜視図である。
【図３】図３は、図２に示される平面３における図２の濾材の断面図である。
【図４】図４は、内周内に配置される内接円を有する平面３における図２の濾材の別の断面図である。
【図５】図５は、本明細書に記載されるフィルタカートリッジの代替の実施形態の、濾材の断面図である。
【図６】図６は、本明細書に記載されるフィルタカートリッジの別の代替の実施形態の、濾材の断面図である。
【図７】図７は、本明細書に記載されるフィルタカートリッジがフィルタシステム内に取り付けられてもよいヨークおよびベンチュリの、１つの例示的な実施形態の側面図である。
【発明を実施するための形態】
【００４６】
例示的な実施形態の以下の説明においては、符号が図面の添付図に付されており、この添付図は、その説明の一部を成し、例示的な特定の実施形態によって示されるものである。本発明の範囲を逸脱しない範囲で、その他の実施形態を利用できるとともに、構造的な変更を行うことができることが理解されるべきである。
【００４７】
本明細書に記載されるフィルタカートリッジは流体フィルタであり、すなわち、本明細書に記載されるフィルタカートリッジは、流体流れから粒子を濾過または除去する。１つまたは複数の実施形態において、本明細書に記載されるフィルタカートリッジは、ガス流れから粒子を除去するために使用されるガスフィルタである。濾過されるガスは、多くの場合、空気であるが、多くのその他のガス流れが、本明細書に記載されるフィルタカートリッジを使用して濾過されてもよい。
【００４８】
本明細書に記載される卵形フィルタカートリッジの１つの例示的な実施形態が、図１および２の斜視図に示される。フィルタカートリッジは、濾材１０の第１の端部１２および第２の端部１４のそれぞれに配置されるエンドキャップ２０を有する濾材１０を含む。
【００４９】
濾材１０の第１の端部１２上のエンドキャップ２０は、１つまたは複数の実施形態において、フィルタカートリッジの内部空間へのアクセスを可能とする開口部を有してもよい。濾材１０の反対側の端部上のエンドキャップ２０は、１つまたは複数の実施形態において、フィルタカートリッジの内部空間へのアクセスが防止され、濾材１０の第１の端部１２上のエンドキャップ２０を通ってフィルタカートリッジの内部空間に入るガス（たとえば、空気）が、フィルタカートリッジの濾材を通って出なければならないように閉じられてもよい。１つまたは複数の代替の実施形態において、両方のエンドキャップ２０は、フィルタカートリッジの内部空間へのアクセスを可能とするために開いていてもよい。
【００５０】
１つまたは複数の実施形態において、ガスがフィルタカートリッジの内部空間に配送される、たとえば、管板、ベンチュリ、またはその他の構造の開口部上のフィルタカートリッジに封をするために、ガスケット２２が、エンドキャップ２０上に設けられてもよい。
【００５１】
管軸１１は、第１の端部１２と第２の端部１４との間で筒状フィルタカートリッジを貫通する。図２に示されるように、濾材１０はその第１の端部１２とその第２の端部１４との間で長さＬを有する。本明細書に記載されるフィルタカートリッジの濾材１０は、管軸１１のまわりに配置される外面１６および内面１８を定義する。内面１８は、フィルタカートリッジ１０の内部空間に面し、外面１６は、その内部空間から見て外方を向く。
【００５２】
フィルタカートリッジの例示的な実施形態に示されないが、本明細書に記載されるフィルタカートリッジの１つまたは複数の実施形態において、外部ライナを濾材の外面上に設け、および／または、内部ライナを濾材の内面上に設けて、濾材に、たとえば保護、支持などを提供してもよい。本明細書に記載されるフィルタカートリッジとともに使用できるいくつかのライナの実施例は、たとえば、米国特許第６，４８８，７４６号明細書（Ｋｏｓｍｉｄｅｒら）、米国特許第８，１２８，７２４号明細書（Ｍｉｌｌｓら）などに記載されている。本明細書に記載されるように、一方または両方のライナは、１つまたは複数の実施形態において、筒状フィルタカートリッジの卵形断面形状を採用するだけ十分に柔軟でもよい。１つまたは複数の代替の実施形態において、一方または両方のライナは、本明細書に記載される卵形断面形状に形成されてもよく、ライナ上に作用する任意の外力がない場合、それらの形状を保持してもよい。
【００５３】
図３および４は、フィルタカートリッジの筒状濾材１０によって形成される卵形断面の１つの例示的な実施形態を、管軸１１を横断する断面によって示す。たとえば、図３および４で参照される断面は、図２に示される平面３によるものでもよく、ここで、平面３は、管軸１１と直交する方向を向いている。本明細書に記載される筒状濾材の断面は、１つまたは複数の実施形態において、濾材１０を含有するフィルタカートリッジの長さＬに沿った任意の位置でよい。１つまたは複数の代替の実施形態において、本明細書に記載される筒状濾材１０の断面は、濾材の長さＬの１０％以上の任意の位置にあってもよい。換言すれば、その断面において、本明細書に記載される特性を示さない、筒状濾材の長さＬの部分があってもよい。１つまたは複数の代替の実施形態において、本明細書に記載される筒状濾材の断面は、濾材の長さＬの２５％以上の任意の位置にあってもよい。１つまたは複数の代替の実施形態において、本明細書に記載される筒状濾材の断面は、濾材の長さＬの５０％以上の任意の位置にあってもよい。
【００５４】
１つまたは複数の実施形態において、筒状濾材１０は、全長Ｌに沿って同一の形状を有してもよいが、それがすべての実施形態において必要とされるわけではない（すなわち、１つまたは複数の実施形態において、筒状濾材３０の断面形状は、長さＬ上で変化してもよい）。
【００５５】
図３および４に示される卵形断面で参照されるように、筒状濾材１０は、濾材１０の内面１８に対応する内周を定義する。断面の内周は、濾材１０の内面１８と実質的に一致するため、参照番号１８は、本明細書で、断面の内周に言及するためにも使用されてもよい。フィルタカートリッジに設けられる濾材は、さまざまな異なる形を採用してもよいが、１つまたは複数の実施形態において、濾材１０は、内面１８で表される内周に沿って配置される内部折り目と、濾材１０の外周に沿って配置される外部折り目とを有するひだ１９を含んでもよい。１つまたは複数の実施形態において、ひだ１９の折り目は、本明細書に記載されるフィルタカートリッジの内周および内面１８の形状に従い、および／または、それを定義する内部ライナの面に沿って、一般的に配置される。
【００５６】
本明細書に記載されるフィルタカートリッジの筒状濾材の断面が、たとえば上、下、上部、底部などの用語を使用して論じられるが、それらの用語は、断面の形状および／または特徴を記載する座標系を提供するためにのみ使用される。特に、本明細書に記載されるフィルタカートリッジが、任意の方向のフィルタシステムで使用されてもよいことを理解すべきである。たとえば、１つまたは複数の実施形態において、フィルタカートリッジがフィルタシステム内に設置されるとき、濾材またはフィルタカートリッジの「底部」が、フィルタカートリッジの（重力の方向に対して）上面にあってもよい。
【００５７】
１つまたは複数の実施形態において、濾材１０の卵形断面は、最大高さの軸３０に沿って頂点３１と底点３２との間で計測される最大高さ３３（Ｈｍａｘ）を有する。頂点３１および底点３２は、濾材１０の断面の内周１８に配置され、１つまたは複数の実施形態において、断面の内周１８を横切って伸長する任意の直線に沿った、互いに最も遠い点である。場合によっては、内周１８は、２つ以上の最大高さの軸を有してもよく、それのそれぞれは、断面の内周１８を横切って伸長する２つ以上の異なる直線に沿って互いに等距離である２点で、内周１８と交差する。そのような場合、本明細書に記載されるように、任意の１つの最大高さの軸は、卵形断面を特徴づけるために使用されてもよい。
【００５８】
本明細書に記載される濾材１０の卵形断面の内周１８は、内周１８上の第１の点４１と第２の点４２との間で計測される最大幅４３（Ｗｍａｘ）も有する。第１の点４１および第２の点４２は、最大高さの軸３０に直交する直線に沿って配置される最大幅の軸４０上に配置される。最大幅の軸４０は、底部軸交点４４で最大高さの軸３０と交差し、ここで、最大幅の軸４０が内周１８と交差する第１の点４１および第２の点４２は、最大高さの軸３０に直交する任意の直線上で互いに最も離れて配置される。
【００５９】
濾材１０の断面の卵形または卵形形状のため、１つまたは複数の実施形態において、最大高さの軸３０に沿って頂点３１と底点３２との間で計測されるとき、底部軸交点４４は、断面の最大高さを二等分しない。
【００６０】
本明細書に記載される筒状濾材の１つまたは複数の実施形態において、たとえば図３に示されるように、卵形断面は、底点３２から底部軸交点４４まで最大高さの軸３０に沿って計測される底部断面高さ３４（Ｈｗｍａｘ）を定義してもよい。１つまたは複数の実施形態において、頂点３１から底点３２まで最大高さの軸３０に沿って計測されるとき、底部断面高さ３４は、最大高さ（Ｈｍａｘ）の０．４以下でもよい。１つまたは複数の実施形態において、底部断面高さ３４は、０より大きい。１つまたは複数の実施形態において、頂点３１から底点３２まで最大高さの軸３０に沿って計測されるとき、底部断面高さ３４は、最大高さの０．１以上である。
【００６１】
本明細書に記載されるフィルタカートリッジの筒状濾材の卵形断面を特徴づけることができる別の方法は、フィルタカートリッジの濾材の上部および底部両方の内周の長さに着目するものである。たとえば、本明細書に記載されるフィルタカートリッジの濾材の断面の内周１８は、底点３２を含有し、最大幅の軸４０が内周１８と交差する第１の点４１から第２の点４２まで延在する、底部周辺部を定義してもよい。底部周辺部、すなわち、第１の点４１から第２の点４２への（底点３２を含む）内周１８の部分は、第１の点４１から第２の点４２まで内周１８に沿って計測される底部周辺部長さを有する。
【００６２】
本明細書に記載されるフィルタカートリッジの濾材１０の卵形断面の内周１８は、最大高さの軸３０が内周１８と交差する頂点３１を含有する上部周辺部も定義してもよい。上部周辺部は、内周１８上で、第１の端部４６から第２の端部４７まで延在し、第１の端部４６は、第１の点４１と頂点３１との間の内周１８上に配置され、第２の端部４７は、第２の点４２と頂点３１との間の内周１８上に配置される。上部周辺部の第１の端部４６および第２の端部４７は、上部周辺部線４５が内周１８と交差する点である。上部周辺部線４５は、最大高さの軸３０に直交し、上部軸交点４９で最大高さの軸３０と交差する直線である。上部軸交点４９は、最大高さの軸３０が内周１８と交差する第１の点３１と第２の点３２との間の内周１８内に配置される。上部軸交点４９は、上部軸交点４９から内周１８上の頂点３１まで最大高さの軸３０に沿って計測される上部断面高さ３５を定義する。
【００６３】
１つまたは複数の実施形態において、上部断面高さ３５、たとえば、図３に示される例示的な実施形態の上部軸交点４９から頂点３１までの距離は、本明細書に記載されるフィルタカートリッジにおける濾材の卵形断面の底部断面高さ３４と等しい。１つまたは複数の実施形態において、点４１と４２との間の（底点３２を含む）内周１８に沿って計測される底部周辺部長さは、第１の端部４６と第２の端部４７との間の（頂点３１を含む）内周１８に沿って計測される上部周辺部長さより大きい。１つまたは複数の実施形態において、底部周辺部長さは、上部周辺部長さの１．２倍以上でもよい。１つまたは複数の代替の実施形態において、底部周辺部長さは、上部周辺部長さの２倍以上でもよい。
【００６４】
本明細書に記載されるフィルタカートリッジの濾材１０の１つまたは複数の実施形態において、第１の点４１と第２の点４２との間に配置される内周１８の底部周辺部は、第１の点４１から第２の点４２まで連続的に湾曲していてもよい。本明細書で使用される場合、「連続的に湾曲」は、内周１８が第１の点４１と第２の点４２との間に直線部分を含まないことを意味するが、内周１８の湾曲は、底部周辺部の全長に沿って均一でなくてもよい。１つまたは複数の代替の実施形態において、内周１８の底部周辺部は、直線を形成する１つまたは複数の限定された部分を含んでもよいが、内周１８の底部周辺部の一部が、１センチメートルを超える距離の直線であることはない。
【００６５】
本明細書に記載されるフィルタカートリッジの濾材１０の１つまたは複数の実施形態は、たとえば図３および４に示される断面の内周１８によって定義される対称中心線も含んでもよい。特に、本明細書に記載される卵形状を有するフィルタカートリッジは、１つまたは複数の実施形態において、単一の対称中心線のみ定義してもよい。図３および４に示される例示的な実施形態において、濾材１０の断面の内周１８は、最大高さの軸３０と一致する単一の対称中心線を定義する。しかし、対称中心線と最大高さの軸とのこのような関係が、本明細書に記載されるすべての実施形態において必ずしも必要とされるわけではない。
【００６６】
本明細書に記載されるフィルタカートリッジの１つまたは複数の実施形態において、濾材１０の卵形断面の内周１８内に配置される内接円５０が設けられることが可能でもよく、本明細書で論じられる内接円は、濾材１０の断面の内周１８内に配置できる最大の内接円である。内周１８の形状が円形ではないため、内接円５０が、内周１８内のすべての領域を占めるというわけではない。図４で参照される図において、内接円４０は、濾材１０の内周１８内の領域５２、５４、および５６を含まない。
【００６７】
１つまたは複数の実施形態において、内周１８内に配置される内接円５０が、内周１８によって定義される内面積の６０％以上を占めてもよい。１つまたは複数の代替の実施形態において、内接円５０は、内周１８によって定義される内面積の７０％以上を占めてもよい。１つまたは複数の付加的な代替の実施形態において、内接円５０は、内周１８によって定義される内面積の８０％以上を占めてもよい。図４に示される例示的な実施例において、内接円５０は、内周１８によって定義される内面積の８０％を超える領域を占める。
【００６８】
内接円の使用により、本明細書に記載されるフィルタカートリッジにおける筒状濾材の断面の内周を特徴づけることができる別の方法を提供してもよい。たとえば図４に示される例示的な実施形態に関連して、内周１８内に配置される内接円５０は、内接円５０と内周１８との間に最大半径方向間隙を定義するように記載される可能性がある。図４に示されるように、最大半径方向間隙は、内接円５０の中心５１を通る軸５７に沿って配置される点５８と５９との間で計測されてもよい。１つまたは複数の実施形態において、点５８と５９との間で計測される最大半径方向間隙は、内接円５０の直径の０．５以下でもよい。１つまたは複数の代替の実施形態において、内接円と内接円が配置される濾材の断面の内周との間の最大半径方向間隙は、その内接円の直径の０．２５以下でもよい。内接円と内周との間の最大半径方向間隙を限定することにより、１つまたは複数の実施形態において、このような特性を有するフィルタカートリッジのパルスクリーニングにおける改善を提供することができる。さらに、この特性は、図５および６に対して以下に記載されるその他の代替の例示的な実施形態に対して記載されないが、この特性は、本明細書に記載されるフィルタカートリッジで使用される任意の筒状濾材に対して確定されてもよく、１つまたは複数の実施形態において、上記の比率に制御されてもよい。
【００６９】
本明細書に記載される筒状フィルタカートリッジで使用されてもよい濾材１１０の卵形断面の別の例示的な実施形態が、図５に示される。図３および４に示される濾材１０の断面とは異なり、図５に示される濾材１１０の卵形断面は、対称中心線を定義しない内周１１８を有する、すなわち、濾材１１０の内周１１８は、非対称である。
【００７０】
１つまたは複数の実施形態において、濾材１１０の卵形断面は、最大高さの軸１３０に沿って頂点１３１と底点１３２との間で計測される最大高さ１３３（Ｈｍａｘ）を有する。頂点１３１および底点１３２は、濾材１１０の断面の内周１１８に配置され、１つまたは複数の実施形態において、断面の内周１１８を横切って伸長する任意の直線に沿った、互いに最も遠い点である。
【００７１】
本明細書に記載される濾材１１０の卵形断面の内周１１８は、内周１１８上の第１の点１４１と第２の点１４２との間で計測される最大幅１４３（Ｗｍａｘ）も有する。第１の点１４１および第２の点１４２は、最大高さの軸１３０に直交する直線に沿って配置される最大幅の軸１４０上に配置される。最大幅の軸１４０は、底部軸交点１４４で最大高さの軸１３０と交差し、ここで、最大幅の軸１４０が内周１１８と交差する第１の点１４１および第２の点１４２は、頂点１３１と底点１３２との間で最大高さの軸１３０に直交する任意の直線上で互いに最も離れて配置される。
【００７２】
濾材１１０の断面の卵形または卵形形状のため、底部軸交点１４４は、１つまたは複数の実施形態において、最大高さの軸１３０に沿って頂点１３１と底点１３２との間で計測されるとき、断面の最大高さを二等分しない。
【００７３】
本明細書に記載される筒状濾材の１つまたは複数の実施形態において、たとえば図５に示されるように、卵形断面は、底点１３２から底部軸交点１４４まで最大高さの軸１３０に沿って計測される底部断面高さ１３４（Ｈｗｍａｘ）を定義してもよい。１つまたは複数の実施形態において、頂点１３１から底点１３２まで最大高さの軸１３０に沿って計測されるとき、底部断面高さ１３４は、最大高さ（Ｈｍａｘ）の０．４以下でもよい。１つまたは複数の実施形態において、底部断面高さ１３４は、０より大きい。１つまたは複数の実施形態において、頂点１３１から底点１３２まで最大高さの軸１３０に沿って計測されるとき、底部断面高さ１３４は、最大高さの０．１以上である。
【００７４】
本明細書に記載されるフィルタカートリッジの筒状濾材の断面を特徴づけることができる別の方法は、フィルタカートリッジの濾材の上部および底部両方の内周の長さに着目するものである。たとえば、本明細書に記載される濾材１１０の断面の内周１１８は、底点１３２を含有し、最大幅の軸１４０が内周１１８と交差する第１の点１４１から第２の点１４２まで延在する、底部周辺部を定義してもよい。底部周辺部、すなわち、第１の点１４１から第２の点１４２への（底点１３２を含む）内周１１８の部分は、第１の点１４１から第２の点１４２まで内周１１８に沿って計測される底部周辺部長さを有する。
【００７５】
本明細書に記載されるフィルタカートリッジの濾材１１０の断面の内周１１８は、最大高さの軸１３０が内周１１８と交差する頂点１３１を含有する上部周辺部も定義してもよい。上部周辺部は、内周１１８上で、第１の端部１４６から第２の端部１４７まで延在し、第１の端部１４６は、第１の点１４１と頂点１３１との間の内周１１８上に配置され、第２の端部１４７は、第２の点１４２と頂点１３１との間の内周１１８上に配置される。上部周辺部の第１の端部１４６および第２の端部１４７は、最大高さの軸１３０を挟んで対向する側で、上部周辺部線１４５が内周１１８と交差する点である。上部周辺部線１４５は、最大高さの軸１３０に直交し、上部軸交点１４９で最大高さの軸１３０と交差する直線である。上部軸交点１４９は、最大高さの軸１３０が内周１１８と交差する第１の点１３１と第２の点１３２との間の内周１１８内に配置される。上部軸交点１４９は、上部軸交点１４９から内周１１８上の頂点１３１まで最大高さの軸１３０に沿って計測される上部断面高さ１３５を定義する。
【００７６】
１つまたは複数の実施形態において、上部断面高さ１３５、たとえば、図５に示される例示的な実施形態の上部軸交点１４９から頂点１３１までの距離は、本明細書に記載されるフィルタカートリッジにおける濾材の断面の底部断面高さ１３４と等しい。１つまたは複数の実施形態において、点１４１と１４２との間の（底点１３２を含む）内周１１８に沿って計測される底部周辺部長さは、第１の端部１４６と第２の端部１４７との間の（頂点１３１を含む）内周１１８に沿って計測される上部周辺部長さより大きい。１つまたは複数の実施形態において、底部周辺部長さは、上部周辺部長さの１．２倍以上でもよい。１つまたは複数の代替の実施形態において、底部周辺部長さは、上部周辺部長さの２倍以上でもよい。
【００７７】
本明細書に記載されるフィルタカートリッジの濾材１１０の１つまたは複数の実施形態において、第１の点１４１と第２の点１４２との間に配置される内周１１８の底部周辺部は、第１の点１４１から第２の点１４２まで連続的に湾曲していてもよい。１つまたは複数の代替の実施形態において、内周１１８の底部周辺部は、直線を形成する１つまたは複数の限定された部分を含んでもよいが、内周１１８の底部周辺部の一部が、１センチメートルを超える距離の直線であることはない。
【００７８】
本明細書に記載される筒状フィルタカートリッジで使用されてもよい卵形断面を有する筒状濾材２１０のさらに別の例示的な実施形態が、図６に示される。図３および４に示される濾材１０の断面、または図５に示される濾材１１０の断面とは異なり、図６に示される濾材２１０の断面は、平坦または直線の部分を含む内周２１８を有する。しかし、本明細書に記載されるフィルタカートリッジのために、上部より広い基部を有するため、濾材２１０によって形成される断面は卵形である。
【００７９】
１つまたは複数の実施形態において、濾材２１０の断面は、最大高さの軸２３０に沿って頂点２３１と底点２３２との間で計測される最大高さ２３３（Ｈｍａｘ）を有する。頂点２３１および底点２３２は、濾材２１０の断面の内周２１８に配置され、１つまたは複数の実施形態において、断面の内周２１８を横切って伸長する任意の直線に沿った、互いに最も遠い点である。
【００８０】
本明細書に記載される濾材２１０の断面の内周２１８は、内周２１８上の第１の点２４１と第２の点２４２との間で計測される最大幅２４３（Ｗｍａｘ）を有する。第１の点２４１および第２の点２４２は、最大高さの軸２３０に直交する直線に沿って配置される最大幅の軸２４０上に配置される。最大幅の軸２４０は、底部軸交点２４４で最大高さの軸２３０と交差し、ここで、最大幅の軸２４０が内周２１８と交差する第１の点２４１および第２の点２４２は、頂点２３１と底点２３２との間で最大高さの軸２３０に直交する任意の直線上で互いに最も離れて配置される。
【００８１】
濾材２１０の断面の卵形または卵形形状のため、底部軸交点２４４は、１つまたは複数の実施形態において、最大高さの軸２３０に沿って頂点２３１と底点２３２との間で計測されるとき、断面の最大高さを二等分しない。
【００８２】
本明細書に記載される筒状濾材の１つまたは複数の実施形態において、たとえば図６に示されるように、断面は、底点２３２から底部軸交点２４４まで最大高さの軸２３０に沿って計測される底部断面高さ２３４（Ｈｗｍａｘ）を定義してもよい。１つまたは複数の実施形態において、頂点２３１から底点２３２まで最大高さの軸２３０に沿って計測されるとき、底部断面高さ２３４は、最大高さの０．４以下でもよい。１つまたは複数の実施形態において、底部断面高さ２３４は、０より大きい。１つまたは複数の実施形態において、頂点２３１から底点２３２まで最大高さの軸２３０に沿って計測されるとき、底部断面高さ２３４は、最大高さの０．１以上である。
【００８３】
本明細書に記載されるフィルタカートリッジの筒状濾材の断面を特徴づけることができる別の方法は、フィルタカートリッジの濾材の上部および底部両方の内周の長さに着目するものである。たとえば、本明細書に記載される濾材２１０の断面の内周２１８は、底点２３２を含有し、最大幅の軸２４０が内周２１８と交差する第１の点２４１から第２の点２４２まで延在する、底部周辺部を定義してもよい。底部周辺部、すなわち、第１の点２４１から第２の点２４２への（底点２３２を含む）内周２１８の部分は、第１の点２４１から第２の点２４２まで内周２１８に沿って計測される底部周辺部長さを有する。
【００８４】
本明細書に記載されるフィルタカートリッジの濾材２１０の断面の内周２１８は、最大高さの軸２３０が内周２１８と交差する頂点２３１を含有する上部周辺部も定義してもよい。上部周辺部は、内周２１８上で、第１の端部２４６から第２の端部２４７まで延在し、第１の端部２４６は、第１の点２４１と頂点２３１との間の内周２１８上に配置され、第２の端部２４７は、第２の点２４２と頂点２３１との間の内周２１８上に配置される。上部周辺部の第１の端部２４６および第２の端部２４７は、最大高さの軸２３０を挟んで対向する側で、上部周辺部線２４５が内周２１８と交差する点である。上部周辺部線２４５は、最大高さの軸２３０に直交し、上部軸交点２４９で最大高さの軸２３０と交差する直線である。上部軸交点２４９は、最大高さの軸２３０が内周２１８と交差する第１の点２３１と第２の点２３２との間の内周２１８内に配置される。上部軸交点２４９は、上部軸交点２４９から内周２１８上の頂点２３１まで最大高さの軸２３０に沿って計測される上部断面高さ２３５を定義する。
【００８５】
１つまたは複数の実施形態において、上部断面高さ２３５、たとえば、図６に示される例示的な実施形態の上部軸交点２４９から頂点２３１までの距離は、本明細書に記載されるフィルタカートリッジにおける濾材の断面の底部断面高さ２３４と等しい。１つまたは複数の実施形態において、点２４１と２４２との間の（底点２３２を含む）内周２１８に沿って計測される底部周辺部長さは、第１の端部２４６と第２の端部２４７との間の（頂点２３１を含む）内周２１８に沿って計測される上部周辺部長さより大きい。１つまたは複数の実施形態において、底部周辺部長さは、上部周辺部長さの１．２倍以上でもよい。１つまたは複数の代替の実施形態において、底部周辺部長さは、上部周辺部長さの２倍以上でもよい。底部周辺部長さと上部周辺部長さとのこの関係は、濾材２１０が上向きではなく下向きであることを記載する１つの方法とすることができる。
【００８６】
本明細書に記載されるフィルタカートリッジの濾材２１０の１つまたは複数の実施形態において、第１の点２４１と第２の点２４２との間に配置される内周２１８の底部周辺部は、第１の点２４１から第２の点２４２まで連続的に湾曲していてもよい。１つまたは複数の代替の実施形態において、内周２１８の底部周辺部は、直線を形成する１つまたは複数の限定された部分を含んでもよいが、内周２１８の底部周辺部の一部が、１センチメートルを超える距離の直線であることはない。
【００８７】
濾材２１０は、対称中心線を有する内周２１８を有する断面の別の例示的な実施例である。特に、内周２１８は、多くとも、単一の対称中心線のみ定義する。図６に示される例示的な実施形態において、単一の対称中心線は、最大高さの軸２３０と一致する。しかし、このような関係が、本明細書に記載されるすべての実施形態において必ずしも必要とされるわけではない。
【００８８】
本明細書に記載されるフィルタカートリッジの濾材１０、１１０、および２１０の３つの異なる卵形断面形状のみが、図１〜６に関連して論じられるが、それらの卵形断面形状のさまざまな特性の説明は、本明細書に記載される筒状フィルタカートリッジで使用される濾材を形成するために使用できる無数の異なる卵形状に適用可能である。したがって、本明細書に開示される特定の実施形態は、実際は単に例示的なものであるとみなされなければならない。
【００８９】
図１および７を参照すると、本明細書に記載されるフィルタカートリッジの１つまたは複数の実施形態において、フィルタカートリッジ上のエンドキャップ２０は、たとえば、切欠き２６が配置される任意選択のタブ２４の形態の位置合わせ機構を含んでもよい。切欠き２６は、フィルタカートリッジをフィルタシステムに取り付けることができるヨーク５０の上部材５２および下部材５４を受けるように寸法決めされてもよい。切欠き２６のそれぞれは、１つまたは複数の実施形態において、フィルタカートリッジの内部空間に面する開口部を有し、切欠き２６がエンドキャップ２０の内周２８の方へ延在するように記載されてもよい。各切欠き２６が示された実施形態の単一のタブ２４に形成されるが、１つまたは複数の代替の実施形態において、切欠き２６は、エンドキャップ２０の内周２８から突出する２つの部材の間に形成されてもよく、ここで、切欠き２６を形成する２つの部材は、同一の構造的部材でない。
【００９０】
フィルタカートリッジが取り付けられるヨークを含んでもよく、本明細書に記載されるフィルタカートリッジが使用されてもよい、いくつかの潜在的に好適なフィルタシステムの実施例は、たとえば、米国特許第３，９４２，９６２号明細書（Ｄｕｙｃｋｉｎｃｋ）、米国特許第４，２１８，２２７号明細書（Ｆｒｅｙ）、米国特許第５，５６２，７４６号明細書（Ｒａｅｔｈｅｒ）、米国特許第６，０９０，１７３号明細書（Ｊｏｈｎｓｏｎら）、米国特許第６，９０２，５９２号明細書（Ｇｒｅｅｎら）、および米国特許第７，６４１，７０８号明細書（Ｋｏｓｍｉｄｅｒら）、ならびに、たとえば、米国仮特許出願第６１／６４８，４９２号明細書（２０１２年５月１７日に出願され、発明の名称は「ＡＩＲ  ＦＩＬＴＥＲ  ＡＳＳＥＭＢＬＹ  ＨＡＶＩＮＧ  ＶＥＮＴＵＲＩ  ＥＬＥＭＥＮＴＳ  ＷＩＴＨ  ＥＸＴＥＮＤＥＤ  ＰＵＬＳＥ  ＯＵＴＬＥＴＳ」）および米国仮特許出願第６１／６４８，４９４号明細書（２０１２年５月１７日に出願され、発明の名称は「ＦＩＬＴＥＲ  ＡＳＳＥＭＢＬＹ  ＷＩＴＨ  ＤＩＲＴＹ  ＡＩＲ  ＣＨＡＭＢＥＲ  ＶＥＮＴＵＲＩ  ＥＬＥＭＥＮＴＳ」）において説明されてもよい。
【００９１】
上部材５２および下部材５４を有するヨーク５０の１つの例示的な実施形態が、図７に示される。上部材５２および下部材５４は、中間部材５６によって互いに構造的に連結され、図７の例示的な実施形態において、恐らく、上部材５２および下部材５４に構造的な支持を提供し、ヨーク５０の剛性を増加させる連続的な部材。また、ヨーク５０に配置されるフィルタカートリッジの内部空間との間でガスをやりとりするために使用されてもよいベンチュリ６０が、図７に示される。ベンチュリ６０は、本明細書で確認できるさまざまな特許文献に記載されるように、フィルタカートリッジのエンドキャップ（たとえばエンドキャップ２０）が配置されてもよく、管板面６４が管板の開口に取り付けられるように構成されてもよい、フィルタカートリッジ面６２を有してもよい。
【００９２】
ヨーク５０は、図１において、フィルタカートリッジに部分的に挿入されているように示される。図１において、最も近いエンドキャップ２０上にのみ示されるが、１つまたは複数の実施形態において、図１のフィルタカートリッジの両端のエンドキャップ２０は、その中に形成される切欠き２６を有するタブ２４を含んでもよい。２つの部材５２および５４を有するヨーク５０と組み合わせた２つのタブ２４の使用は、１つまたは複数の実施形態において、フィルタシステムでヨーク５０上に設置するときの、その管軸１１まわりのフィルタカートリッジの回転を防止する、または少なくとも制限するために恐らく有利である。
【００９３】
本明細書に記載されるフィルタカートリッジに設けられる筒状濾材の１つまたは複数の実施形態は、ひだ状濾材の形態でもよいが、１つまたは複数の代替の実施形態において、筒状濾材はひだ状でも、ひだ状でなくてもよい。さらに、本明細書に記載されるフィルタカートリッジで使用される濾材は、ガス流れから粒子状物質を濾過するために使用されてもよいが、１つまたは複数の実施形態において、濾材は、たとえば汚染化学物質などのガス流れから、その他の物質をさらに除去可能であってもよい。
【００９４】
本明細書に記載されるフィルタカートリッジは、さまざまなフィルタリングシステムで使用されてもよい。たとえば、フィルタカートリッジは、たとえば、米国特許第３，９４２，９６２号明細書（Ｄｕｙｃｋｉｎｃｋ）、米国特許第４，２１８，２２７号明細書（Ｆｒｅｙ）、米国特許第４，４２４，０７０号明細書（Ｒｏｂｉｎｓｏｎ）、米国特許第４，４３６，５３６号明細書（Ｒｏｂｉｎｓｏｎ）、米国特許第４，３９５，２６９号明細書（Ｓｃｈｕｌｅｒ）、米国特許第４，４４３，２３７号明細書（Ｕｌｖｅｓｔａｄ）、米国特許第４，４４５，９１５号明細書（Ｒｏｂｉｎｓｏｎ）、米国特許第４，６６１，１３１号明細書（Ｈｏｗｅｔｈ）、米国特許第５，２０７，８１２号明細書（Ｔｒｏｎｔｏら）、米国特許第４，９５４，２５５号明細書（Ｍｕｌｌｅｒら）、米国特許第５，２２２，４８８号明細書（Ｆｏｒｓｇｒｅｎ）、米国特許第５，２１１，８４６号明細書（Ｋｏｔｔら）、米国特許第５，７３０，７６６号明細書（Ｃｌｅｍｅｎｔｓ）、米国特許第６，０９０，１７３号明細書（Ｊｏｈｎｓｏｎら）、米国特許第６，４８８，７４６号明細書（Ｋｏｓｍｉｄｅｒら）、米国特許第６，９０２，５９２号明細書（Ｇｒｅｅｎら）、および米国特許第７，６４１，７０８号明細書（Ｋｏｓｍｉｄｅｒら）に記載されるものと同様のフィルタリングシステムで使用されてもよい。またさらに、本明細書に記載されるフィルタカートリッジは、たとえば、米国仮特許出願第６１／６４８，４９２号明細書（２０１２年５月１７日に出願され、発明の名称は「ＡＩＲ  ＦＩＬＴＥＲ  ＡＳＳＥＭＢＬＹ  ＨＡＶＩＮＧ  ＶＥＮＴＵＲＩ  ＥＬＥＭＥＮＴＳ  ＷＩＴＨ  ＥＸＴＥＮＤＥＤ  ＰＵＬＳＥ  ＯＵＴＬＥＴＳ」）および米国仮特許出願第６１／６４８，４９４号明細書（２０１２年５月１７日に出願され、発明の名称は「ＦＩＬＴＥＲ  ＡＳＳＥＭＢＬＹ  ＷＩＴＨ  ＤＩＲＴＹ  ＡＩＲ  ＣＨＡＭＢＥＲ  ＶＥＮＴＵＲＩ  ＥＬＥＭＥＮＴＳ」）に記載されるものと同様のフィルタリングシステムで使用されてもよい。
【００９５】
本明細書で識別される特許、特許文献、および刊行物の完全な開示は、それぞれが個別に組み込まれるように、参照によって完全に組み込まれる。本明細書とこのような任意の組み込まれた文献の開示との間で不一致または矛盾がある限りにおいては、本明細書が優先される。
【００９６】
フィルタカートリッジおよびフィルタカートリッジを組み込むフィルタシステムの例示的な実施形態が本明細書で論じられ、いくつかの可能な変形が説明されている。本発明のこれらならびにその他の変形および変更は、本発明の範囲を逸脱しない範囲で当業者にとって明らかであり、本発明が本明細書で説明される例示的な実施形態に限定されないことを理解すべきである。したがって、本発明は、以下に提示される特許請求の範囲およびその等価物によってのみ、限定される。また、本発明は、本明細書で必要に応じて特に開示されない任意の要素がない場合も、適切に実施できることも理解すべきである。
【図１】
0006317806.tif 000002
【図２】
0006317806.tif 000003
【図３】
0006317806.tif 000004
【図４】
0006317806.tif 000005
【図５】
0006317806.tif 000006
【図６】
0006317806.tif 000007
【図７】
0006317806.tif 000008